(57)【要約】【課題】パソコン台を別途必要とせず、持ち運びも便利であり、また、多くの見学者を相手に説明する場合にも使い勝手のよいプロジェクタ・スタンドを提供する。【解決手段】棒状部材により枠状に形成された台座枠体２、台座枠体２から上方に向けて前後一対ずつ立設された４本の支柱３，４，５，６、前方に向かって斜め下向きに傾斜して支柱３，４，５，６の上端に取り付けられたスクリーン支持枠７、スクリーン支持枠７に付設されたスクリーン係止部材８，８、及びスクリーン係止部材によりスクリーン支持枠７に係止された半透明部材からなるスクリーン９、並びに、後方の支柱５，６の中間位置に、後方に向けて突出して付設されたパソコン棚１３を備えたプロジェクタ・スタンドとする。【選択図】図４
2009133879.tif 000002
【特許請求の範囲】
【請求項１】
棒状部材により枠状に形成された台座枠体と、
棒状部材で構成され前記台座枠体の前後に上方に向けて立設された少なくとも３本の支柱と、
棒状部材で枠状に構成され前方に向かって斜め下向きに傾斜して前記支柱上端に取り付けられたスクリーン支持枠体と、
前記スクリーン支持枠体に付設されたスクリーン係止部材と、
前記スクリーン係止部材により前記スクリーン支持枠体に係止された半透明部材からなるスクリーンと、
後方の前記支柱の中間位置に、後方に向けて突出して付設されたパソコン棚と、
を備えたことを特徴とするプロジェクタ・スタンド。
【請求項２】
前記台座枠体、４本の前記支柱、及び前記スクリーン支持枠体は、パイプ部材及び継ぎ手を組み合わせて組み立て・分解自在に構成されていることを特徴とする請求項１記載のプロジェクタ・スタンド。
【請求項３】
前記台座枠体及び前記スクリーン支持枠体は、パイプ部材及び継ぎ手を組み合わせて構成されており、その外郭寸法が、前記スクリーンと略同一であることを特徴とする請求項２記載のプロジェクタ・スタンド。
【請求項４】
前記スクリーン、前記台座枠体、及び前記スクリーン支持枠体は方形状に形成されており、
前記台座枠体は対向する一対の辺が伸縮部材により構成され、前記伸縮部材を伸縮させることでその外郭寸法を前記スクリーンと略同一とすることができることを特徴とする請求項３記載のプロジェクタ・スタンド。
【請求項５】
前記台座枠体の前方及び後方側の枠の一部に、光軸設定用のマークが付されていることを特徴とする請求項１乃至４の何れか一記載のプロジェクタ・スタンド。
【請求項６】
前記台座枠体の内側に設置され、反射面が水平面に対して傾斜する反射鏡を備え、
前記反射鏡の反射面の傾斜角は、０から４５度の角度にさらに、前記スクリーン支持枠の水平面からの傾斜角度の２分の１を加えた値に設定されていることを特徴とする請求項１乃至５の何れか一記載のプロジェクタ・スタンド。
【発明の詳細な説明】
【技術分野】
【０００１】
本発明は、画像投射装置（以下「プロジェクタ」という。）を用いて画像を投射するためのプロジェクタ・スタンドに関する。
【背景技術】
【０００２】
従来のプロジェクタ・スタンドとしては、特許文献１，２に記載のものが公知である。
【０００３】
図１２は、特許文献１に記載のプロジェクタ・スタンド（投写型表示装置）の斜視図である。図１２のプロジェクタ・スタンド１００は、基台部１０１、支持脚１０２、プロジェクタ設置部１０３、ミラー部１０４、及びスクリーン部１０５を備えている。プロジェクタ設置部１０３には、プロジェクタ１０６が投射レンズを上向きの状態として収容されている。また、プロジェクタ１０６の左右にはスピーカ１０７，１０７が設置されている。支持脚１０２は基台部１０１の上方にミラー部１０４及びスクリーン部１０５を保持している。ミラー部１０４は支持脚１０２の上端に傾斜して取り付けられており、その下面が反射鏡となっている。スクリーン部１０５は、ミラー部１０４の上端に垂直に吊持された半透明のスクリーンである。
【０００４】
プロジェクタ１０６から投射される画像は、ミラー部１０４で反射されてスクリーン部１０５の背面から投射される。これにより、スクリーン部１０５の前面には、プロジェクタ１０６から投射された画像が映し出されるようになっている。
【０００５】
図１３は、特許文献２に記載のプロジェクタ・スタンド（講演装置）の斜視図である。図１３のプロジェクタ・スタンド１１０は、演台１１１、スクリーン１１２、プロジェクタ１１３、反射鏡１１４、棚板１１５、及び支持フレーム１１６を備えている。
【０００６】
半透明のスクリーン１１２は演台１１１の上面後部に垂直に固定されている。また、演台１１１は後方に開講する箱形の台であり、その内部の中間の高さに、プロジェクタ１１３を載置するための棚板１１５が固定されている。また、棚板１１５の後方に引き出し自在に、反射鏡１１４を支持する支持フレーム１１６が設けられている。支持フレーム１１６は直角に曲折したフレームであり、水平部分が棚板１１５にレールで取り付けられ、垂直部分に反射鏡１１４が取り付けられている。
【０００７】
プロジェクタ１１３から投射される画像は、反射鏡１１４で反射され、スクリーン１１２の背面から投射される。これにより、スクリーン１１２の前面には、プロジェクタ１１３から投射された画像が映し出されるようになっている。
【特許文献１】特開２０００−３２１６７２号公報
【特許文献２】特開２００５−３１５９９４号公報
【発明の開示】
【発明が解決しようとする課題】
【０００８】
一般に、プロジェクタにより画像を投射する場合、プロジェクタにパソコンなどを接続し、投射する画像はパソコンなどからプロジェクタに送信する。すなわち、上記従来の各プロジェクタ・スタンドを使用する場合、プロジェクタにパソコンを接続する必要がある。従って、上記従来のプロジェクタ・スタンドを使用する場合には、別途パソコンを載置するための台を別途用意する必要があり、不便であるという問題がある。
【０００９】
また、上記従来の各プロジェクタ・スタンドは、各部品が容易に分解・組み立てできるようには構成されていないため、持ち運びが不便であるという問題がある。
【００１０】
更に、展示会のブースなどにおいてプロジェクタ・スタンドを利用する場合において、多数の見学者を相手に出展者が画像を示しながら説明する場合、出展者は各見学者と向かい合って説明をしたほうが便利である。しかしながら、上記従来の各プロジェクタ・スタンドは、スクリーンが垂直に設置されているため、出展者がスクリーンに映し出された画像を示す場合、一部の見学者に背を受ける状態とならざるを得ない場合がある。
【００１１】
例えば、出展者がスクリーンの右側に立ってスクリーン上の画像を示しながら説明する場合、スクリーンの正面から左側にいる見学者はスクリーン全体を見ることができるが、スクリーンの右側にいる見学者は出展者の体が邪魔となってスクリーン全体を見ることができない場合がある。
【００１２】
したがって、上記従来の各プロジェクタ・スタンドは、多数の見学者を相手に説明する場合に、使い勝手の点で改善の余地があるといえる。
【００１３】
そこで、本発明の目的は、パソコン台を別途必要とせず、持ち運びも便利であり、また、多くの見学者を相手に説明する場合にも使い勝手のよいプロジェクタ・スタンドを提供することにある。
【課題を解決するための手段】
【００１４】
本発明のプロジェクタ・スタンドの第１の構成は、棒状部材により枠状に形成された台座枠体と、
棒状部材で構成され前記台座枠体の前後に上方に向けて立設された少なくとも３本の支柱と、
棒状部材で枠状に構成され前方に向かって斜め下向きに傾斜して前記支柱上端に取り付けられたスクリーン支持枠体と、
前記スクリーン支持枠体に付設されたスクリーン係止部材と、
前記スクリーン係止部材により前記スクリーン支持枠体に係止された半透明部材からなるスクリーンと、
後方の前記支柱の中間位置に、後方に向けて突出して付設されたパソコン棚と、
を備えたことを特徴とする。
【００１５】
この構成によれば、台座枠体を床に置き、その枠内に市販のプロジェクタを、投射方向を後方に向けて載置する。そして、プロジェクタの後方に斜め上方に向けて、プロジェクタの投影画像がスクリーン背面に写るように調整して反射鏡を設置する。これにより、プロジェクタの投影画像をスクリーン上に映し出すことができる。
【００１６】
ここで、プロジェクタ・スタンドの後方の一対の支柱の中間位置にパソコン棚が付設されているため、プロジェクタにより映し出す画像を出力するためのパソコンを置く机を別途用意する必要がなく、利便性は高い。また、パソコン台を一体化したことで、きわめてコンパクトな構成となる。
【００１７】
また、スクリーンが前方に向かって斜め下向きに傾斜して前記支柱上端に取り付けられ、その背後にパソコン棚を配置したことにより、プロジェクタ・スタンドを使用して説明を行う際、説明者はスクリーンの後側に立ってパソコンを操作しながら前方のスクリーンに画像を映し出すことができる。そして、視聴者に対して向かい合った状態で、画像を参照しながら説明を行うことができる。従って、展示会のブースなどで多数の視聴者に対して説明を行う際にも、説明者の位置が邪魔になって一部の視聴者に画像が見えなくなる状況が生じることがなくなる。
【００１８】
本発明のプロジェクタ・スタンドの第２の構成は、前記第１の構成において、前記台座枠体、４本の前記支柱、及び前記スクリーン支持枠体は、パイプ部材及び継手を組み合わせて組み立て・分解自在に構成されていることを特徴とする。
【００１９】
このように、台座枠体、４本の支柱、及びスクリーン支持枠体を組み立て・分解自在なパイプ部材及び継手により構成することにより、プロジェクタ・スタンドの運搬がきわめて容易となる。
【００２０】
本発明のプロジェクタ・スタンドの第３の構成は、前記第２の構成において、前記台座枠体及び前記スクリーン支持枠体は、パイプ部材及び継手を組み合わせて構成されており、その外郭寸法が、前記スクリーンと略同一であることを特徴とする。
【００２１】
このように、台座枠体及びスクリーン支持枠体の外郭寸法をスクリーンの外郭寸法と同一に構成することにより、運搬時において、プラスチック板、アクリル板、あるいはガラス板等の損傷を受けやすい部材で構成されるスクリーンを、台座枠体とスクリーン支持枠体とで丁度挟みこむことができる。これにより、損傷を受けやすいスクリーンを、台座枠体及びスクリーン支持枠体をその保護枠として、安全に運搬できるようになる。
【００２２】
本発明のプロジェクタ・スタンドの第４の構成は、前記第３の構成において、前記スクリーン、前記台座枠体、及び前記スクリーン支持枠体は方形状に形成されており、前記台座枠体は対向する一対の辺が伸縮部材により構成され、前記伸縮部材を伸縮させることでその外郭寸法を前記スクリーンと略同一とすることができることを特徴とする。
【００２３】
このように、台座枠体の対向する一対の辺を伸縮可能とすることで、運搬時には、台座枠体の外郭寸法をスクリーンの外郭寸法と同一とし、スクリーンを安全に運搬することが可能となる。一方、組み立て時には、台座枠体の伸縮部材を伸縮させて、反射鏡やプロジェクタを配置可能な最適な大きさの領域を確保することが可能となる。また、反射鏡とプロジェクタの設置位置を最適化して、結果的に、より歪みや焦点ずれの少ない画像を、傾斜したスクリーンに投影することが可能となる。
【００２４】
本発明のプロジェクタ・スタンドの第５の構成は、前記第１乃至４の何れかの構成において、前記台座枠体の前方及び後方側の枠の一部に、光軸設定用のマークが付されていることを特徴とする。
【００２５】
このように、台座枠体の前方及び後方側の枠の一部に、光軸設定用のマークを付すことにより、プロジェクタや反射鏡を設置する際に光軸を合わせるのが容易となり、設置作業が簡単化される。
【００２６】
本発明のプロジェクタ・スタンドの第６の構成は、前記第１乃至４の何れかの構成において、前記台座枠体の内側に設置され、反射面が水平面に対して傾斜する反射鏡を備え、前記反射鏡の反射面の傾斜角は、０から４５度の角度にさらに、前記スクリーン支持枠体の水平面からの傾斜角度の２分の１を加えた値に設定されていることを特徴とする。
【００２７】
このように、反射鏡の傾斜角度を設定することによって、歪みや焦点ずれの少ない画像の投影のために、反射鏡の位置、反射鏡の角度、プロジェクタの位置、プロジェクタの角度という４つのパラメータの組み合わせで調整していたスクリーンへの画像投影が、基本的には、反射鏡の位置と、プロジェクタの位置だけになり、きれいな画像表示のための最適な配置条件を見つける設置作業が大幅に簡単化される。
【発明の効果】
【００２８】
以上のように、本発明のプロジェクタ・スタンドによれば、後方の一対の支柱の中間位置にパソコン棚が付設したことで、プロジェクタにより映し出す画像を出力するためのパソコンを置く机を別途用意する必要がなく、利便性が向上する。
【００２９】
また、展示会のブースなどで多数の視聴者を前に説明者がプロジェクタ・スタンドに画像を投射して説明する際に、スクリーンは説明者の手前にあるため、視聴者と説明者とが常に対面した状態で説明を行うことができる。従って、説明を行う際の使い勝手がよい。また、説明者の位置が邪魔になって一部の視聴者に画像が見えなくなる状況が生じることもなくなる。
【００３０】
更に、台座枠体、４本の支柱、及びスクリーン支持枠体を組み立て・分解自在なパイプ部材及び継手により構成することにより、プロジェクタ・スタンドの運搬がきわめて容易となる。
【００３１】
更に、台座枠体とスクリーン支持枠体は、幅及び奥行きの寸法がスクリーンとほぼ同一な構成となっており、運搬時には、台座枠体とスクリーン支持枠体でスクリーンを挟みこむことができ、プロジェクタ・スタンドの運搬がより安全になる。
【００３２】
更に、設置時には、台座枠体の奥行きを延長することができる構成により、反射鏡とプロジェクタの配置範囲を広げることができ、また同時に光軸設定用マークを利用し、さらに、反射鏡の角度をスクリーンの傾斜角度に対応した角度に調整することで、より歪みや焦点ずれの少ない画像をスクリーンへ投影できる。
【発明を実施するための最良の形態】
【００３３】
以下、本発明を実施するための最良の形態について、図面を参照しながら説明する。
【実施例１】
【００３４】
図１は、本発明の実施例１に係るプロジェクタ・スタンド１を斜め前方から見た斜視図である。図２は、本発明の実施例１に係るプロジェクタ・スタンド１を左側方からみた斜視図である。
【００３５】
本実施例１のプロジェクタ・スタンド１は、台座枠体２、前側支柱３，４、後側支柱５，６、スクリーン支持枠体７、スクリーン係止部材８、及びスクリーン９を備えている。
【００３６】
台座枠体２は、パイプ部材により矩形枠状に形成されている。台座枠体２の前側辺及び後側辺の中央部分には、プロジェクタ及び反射鏡の光軸合わせを行うための光軸設定用マーク１０，１１が付されている。
【００３７】
また、台座枠体２の左右側辺には、それぞれ、前側支柱３，４が垂直に立設されている。台座枠体２の後側辺には、後側支柱５，６が立設されている。これらの支柱は、いずれもパイプ部材により構成されている。前側支柱３，４の高さは後側支柱５，６の高さよりも低く、また、左右の前側支柱３，４の高さは同じであり、左右の後側支柱５，６の高さも同じである。
【００３８】
前側支柱３，４及び後側支柱５，６の上端には、パイプ部材により矩形状に構成されたスクリーン支持枠体７が取り付けられている。前側支柱３，４の高さは後側支柱５，６の高さよりも低いので、スクリーン支持枠体７は前方に向かって斜め下向きに傾斜した状態となる。また、スクリーン支持枠体７の下辺の左右隅部には、鈎状のスクリーン係止部材８，８が付設されている。そして、このスクリーン係止部材８，８により係止された状態で、スクリーン支持枠体７上にスクリーン９が設置されている。スクリーン９は白布、乳白色の半透明プラスチック、磨りガラスのような半透明部材によって構成されている。
【００３９】
一方、図２に示すように、スクリーン９の背後の後側支柱５，６に、後方に向かって水平にパソコン棚支持体１２が突出して付設されている。そして、パソコン棚支持体１２の上部には、板状部材からなるパソコン棚１３が設置されている。
【００４０】
台座枠体２、前側支柱３，４、後側支柱５，６、スクリーン支持枠体７、及びパソコン棚支持体１２は、いずれもパイプ部材を脱着自在な継手により嵌め合わせて構成されている。従って、これらの枠体は容易に分解・組み立てが容易であり、設置場所まで分解して運び設置場所でプロジェクタ・スタンド１を組み立てることが容易にできる。
【００４１】
さらに、台座枠体２とスクリーン支持枠体７は、スクリーン９とほぼ同一の幅、奥行きと構成されており、運搬時には、スクリーン９を、台座枠体２とスクリーン支持枠体７で挟み込み保護し、この状態で運搬用のバッグ等へ入れて安全に運搬することができる。
【００４２】
以上のように構成された本実施例１のプロジェクタ・スタンド１について、以下その使用方法を説明する。
【００４３】
図３及び図４は、実施例１に係るプロジェクタ・スタンド１の使用状態を表す斜視図である。プロジェクタ・スタンド１を使用する際には、まず、台座枠体２の枠内に、投射方向を後側水平乃至後側斜め上方に向けてプロジェクタ２０を設置する。次に、台座枠体２の枠内のプロジェクタ２０の後側に、反射鏡２１を設置する。反射鏡２１は、反射面が前斜め上方を向くように設置するとともに、反射面がプロジェクタ２０の光軸上にくるようにする。そして、プロジェクタ２０の電源を入れて投射し、反射鏡２１で反射されたプロジェクタ２０の投影画像がスクリーン９の裏面中央にくるように、プロジェクタ２０の位置・傾斜角度及び反射鏡２１の位置・傾斜角度を調節する。
【００４４】
このとき、光軸設定用マーク１０，１１を参照して、プロジェクタ２０の照射レンズと反射鏡２１とが光軸設定用マーク１０，１１を結ぶ直線の上方に来るように合わせることにより、光軸を容易に合わせることができる。
【００４５】
最後に、パソコン棚１３上にパソコン２２を設置し（図４参照）、パソコン２２とプロジェクタ２０を接続して設置が完了する。
【００４６】
展示会のブースなどにおいてプロジェクタ・スタンド１を使用して説明を行う場合、説明者はパソコン棚１３の後方側（図４の位置Ｓ）に立つ。視聴者は、スクリーン９の前方に立つ。説明者は、パソコン２２を操作しながらスクリーン９に画像を表示させ視聴者に対して説明を行う。このように、プロジェクタ・スタンド１を使用すれば、説明者は視聴者と常に対面した状態で説明を行うことができる。そして、スクリーン９が説明者の陰に隠れることがないため、多数の視聴者がいる場合であっても説明をスムーズに行うことが可能となる。
【実施例２】
【００４７】
図５は、本発明の実施例２に係るプロジェクタ・スタンド３１を斜め前方から見た斜視図である。図６は、本発明の実施例２に係るプロジェクタ・スタンド３１を左側方からみた斜視図である。図５，６のプロジェクタ・スタンド３１は、台座枠体３２、前側支柱３３，３４、後側支柱３５，３６、スクリーン支持枠体３７、スクリーン係止部材３８，３８、スクリーン３９、パソコン棚支持体４０、パソコン棚支柱４１、及びパソコン棚４２を備えている。
【００４８】
本実施例２のプロジェクタ・スタンド３１が、実施例１のプロジェクタ・スタンド１の構成と異なる特徴的部分は、台座枠体３２が奥行き方向に伸張する点、及びパソコン棚４２の下に、パソコン棚支柱４１が設けられている点である。台座枠体３２が奥行き方向に伸張することから、実施例１（図１，図２）に比較して、後側支柱３５，３６の支柱の長さが長くなり、後側支柱３５，３６の傾斜もより大きくなっている。
【００４９】
台座枠体３２は、パイプ部材により矩形枠状に形成されている。台座枠体３２の前側辺の中央部分には、プロジェクタ及び反射鏡の光軸合わせを行うための光軸設定用マーク４５が付されている。また、台座枠体３２は、左側辺３２ａ，右側辺３２ｂが伸縮パイプにより構成されている。即ち、左側辺３２ａ，右側辺３２ｂの前側部分の大径パイプ部材５０，５０に、後側部分の小径パイプ部材５１，５１が内挿され、小径パイプ部材５１，５１は大径パイプ部材５０，５０内を出入り自在に摺動する構成とされている。小径パイプ部材５１，５１を大径パイプ部材５０，５０から出し入れすることによって左側辺３２ａ，右側辺３２ｂを伸縮させることができる。
【００５０】
台座枠体３２の左右側辺の前部には、それぞれ、前側支柱３３，３４が垂直に立設されている。台座枠体３２の後側辺には、後側支柱３５，３６が立設されている。これらの支柱は、いずれもパイプ部材により構成されている。前側支柱３３，３４の高さは後側支柱３５，３６の高さよりも低く、また、左右の前側支柱３３，３４の高さは同じであり、左右の後側支柱３５，３６の高さも同じである。前側支柱３３，３４は台座枠体３２に回転自在なＴ字継手５２，５２により結合されており、後側支柱３５，３６は台座枠体３２に回転自在なＴ字継手５３，５３により結合されている。また、前側支柱３３，３４の上端は「く」の字状に屈曲したくの字継手５４，５４及びＴ字継手５５，５５により結合されている。Ｔ字継手５５，５５は回転自在である。
【００５１】
後側支柱３５，３６は、下部パイプ５６，Ｔ字継手５７，及び上部パイプ５８により構成されている。下部パイプ５６の下端は、Ｔ字継手５３に抜き差し自在に挿入されている。Ｔ字継手５７は下部パイプ５６と上部パイプ５８とを回転自在に結合しており、下部パイプ５６はＴ字継手５７に抜き差し自在とされている。上部パイプ５８は、スクリーン支持枠体３７にＴ字継手５９により結合されている。Ｔ字継手５９は回転自在とされている。尚、左右のＴ字継手５７，５７の間は、Ｔ字継手６０，渡し棒６１，Ｔ字継手６０の結合体により接続されている。尚、Ｔ字継手６０，６０は渡し棒６１に対して回転自在である。
【００５２】
前側支柱３３，３４及び後側支柱３５，３６の上端には、パイプ部材６２，６３，６３，６４とＴ字継手５５，５５，５９，５９により矩形状に構成されたスクリーン支持枠体３７が取り付けられている。前側支柱３３，３４の高さは後側支柱３５，３６の高さよりも低いので、スクリーン支持枠体３７は前方に向かって斜め下向きに傾斜した状態となる。また、スクリーン支持枠体３７の下辺の左右隅部には、鈎状のスクリーン係止部材３８，３８が付設されている。そして、このスクリーン係止部材３８，３８により係止された状態で、スクリーン支持枠体３７上にスクリーン３９が設置されている。スクリーン３９は白布、乳白色の半透明プラスチック、磨りガラスのような半透明部材によって構成されている。
【００５３】
一方、図６に示すように、スクリーン３９の背後の後側支柱３５，３６間渡された渡し棒６１の左右両端のＴ字継手６０，６０には、後方に向かって水平にパソコン棚支持体４０が突出して付設されている。そして、パソコン棚支持体４０の上部には、板状部材からなるパソコン棚４２が設置されている。パソコン棚支持体４０は、左右のＬ字型のパイプ部材６５，６５がＴ字継手６６により回転自在に結合されたコの字型に形成されている（図１０参照）。また、パソコン棚支持体４０の後側辺の中央のＴ字継手６６は、台座枠体３２の後側辺の中央に回転自在に設けられたＴ字継手６７にパソコン棚支柱４１によって接続されている。
【００５４】
尚、図６では、パソコン棚支柱４１は、一本となっているが、他の支柱と同様に２本構成としてもかまわない。
【００５５】
図７及び図８は、実施例２に係るプロジェクタ・スタンド３１の使用状態を表す斜視図である。プロジェクタ・スタンド３１を使用する際には、まず、台座枠体３２の枠内に、投射方向を後側水平乃至後側斜め上方に向けてプロジェクタ２０を設置する。次に、台座枠体３２の枠内のプロジェクタ２０の後側に、反射鏡２１を設置する。反射鏡２１は、反射面が前斜め上方を向くように設置するとともに、反射面がプロジェクタ２０の光軸上にくるようにする。そして、プロジェクタ２０の電源を入れて投射し、反射鏡２１で反射されたプロジェクタ２０の投影画像がスクリーン３９の裏面中央にくるように、プロジェクタ２０の位置・傾斜角度及び反射鏡２１の位置・傾斜角度を調節する。
【００５６】
このとき、光軸設定用マーク４５及びＴ字継手６７の位置を参照して、プロジェクタ２０の照射レンズと反射鏡２１とが光軸設定用マーク４５及びＴ字継手６７を結ぶ直線の上方に来るように合わせることにより、光軸を容易に合わせることができる。
【００５７】
また、台座枠体３２の左右辺の伸縮パイプ（大径パイプ部材５０及び小径パイプ部材５１）を伸ばして奥行きを延長することで、反射鏡２１と、プロジェクタ２０の配置可能範囲を広げる。これにより、より歪みや焦点ずれが少ない品質のよい画像をスクリーン３９に投影する条件を見つけやすくなる。
【００５８】
さらに、このとき、反射鏡２１の傾斜角度を、０度〜４５度の角度にさらに、スクリーン３９の水平からの傾斜角度の２分の１を加えた値に設定する。たとえば、スクリーン３９が水平から４５度の傾斜角を持っている場合、反射鏡２１の傾斜角度は、６７．５度に設定するとよい。これにより、反射鏡２１の傾斜角度は最適化され、反射鏡２１の位置とプロジェクタ２０の位置、あるいは、反射鏡２１の位置とプロジェクタ２０の傾斜角度の調整により、光軸を容易に合わせることができる。
【００５９】
最後に、パソコン棚４２上にパソコン２２を設置し（図８参照）、パソコン２２とプロジェクタ２０を接続して設置が完了する。
【００６０】
次に、プロジェクタ・スタンド３１を分解して収納する場合について説明する。まず、プロジェクタ・スタンド３１からスクリーン３９を取り外す。スクリーン３９は、スクリーン支持枠体３７上に載置され、スクリーン係止部材３８，３８で係止されているだけであるため、簡単に取り外すことができる。
【００６１】
次に、図９に示したように、くの字継手５４，５４を前側支柱３３，３４から抜き、後側支柱３５，３６のＴ字継手５７，５７を下部パイプ５６，５６から抜き、パソコン棚支持体４０のＴ字継手６６（図１０参照）をパソコン棚支柱４１をから抜いて、スクリーン支持枠体７，パソコン棚支持体１２，パソコン棚１３を含む上部ユニット７０を取り外す。さらに、前側支柱３３，３４をＴ字継手５２，５２から抜き、後側支柱３５，３６の下部パイプ５６，５６をＴ字継手５３，５３から抜き、パソコン棚支柱４１をＴ字継手６７から抜いて、台座枠体３２を分離する。以上の分解をした状態を図９に示す（スクリーン３９は省略）。
【００６２】
次に、図１０に示すように、台座枠体３２については、左右の辺の小径パイプ部材５１を大径パイプ部材５０内に収容して伸縮パイプを収縮させる。また、Ｔ字継手５２，５２，５３，５３，６７を枠内側に回転させて出っ張りを枠内に収容する。これにより、台座枠体３２の外郭寸法は、スクリーン３９の外郭寸法と略等しくなる。
【００６３】
一方、上部ユニット７０については、Ｔ字継手５５，５５をスクリーン支持枠体３７の枠内側に回転させて出っ張りを枠内に収容する。さらに、Ｔ字継手５９，５９、Ｔ字継手６０，６０、及びＴ字継手６６をスクリーン支持枠体３７の枠内側に回転させて、後側支柱３５，３６の上部パイプ５８，５８及びパソコン棚支持体４０をスクリーン支持枠体３７の枠内に収容する。
【００６４】
以上のような折り畳みを行った状態を図１０に示す。この状態では、台座枠体３２の外郭寸法及び上部ユニット７０の外郭寸法はスクリーン３９の外郭寸法と略等しくなる。
【００６５】
最後に、図１１に示すように、スクリーン３９を台座枠体３２と上部ユニット７０で挟んで、バッグ７５に収容する。
【００６６】
このように、運搬時には、台座枠体３２の外郭寸法をスクリーン３９の外郭寸法とほぼ同一にして、台座枠体３２及び上部ユニット７０をスクリーン３９の運搬保護材として用いることが可能となる。
【図面の簡単な説明】
【００６７】
【図１】本発明の実施例１に係るプロジェクタ・スタンドを斜め前方から見た斜視図である。
【図２】本発明の実施例１に係るプロジェクタ・スタンドを左側方からみた斜視図である。
【図３】実施例１に係るプロジェクタ・スタンド１の使用状態を表す斜視図である。
【図４】実施例１に係るプロジェクタ・スタンド１の使用状態を表す斜視図である。
【図５】本発明の実施例２に係るプロジェクタ・スタンドを斜め前方から見た斜視図である。
【図６】本発明の実施例２に係るプロジェクタ・スタンドを左側方からみた斜視図である。
【図７】実施例２に係るプロジェクタ・スタンド１の使用状態を表す斜視図である。
【図８】実施例２に係るプロジェクタ・スタンド１の使用状態を表す斜視図である。
【図９】プロジェクタ・スタンド３１を分解をした状態を示す図である。
【図１０】プロジェクタ・スタンド３１を分解後折り畳んだ状態を示す図である。
【図１１】プロジェクタ・スタンド３１をバッグに収納した状態を示す図である。
【図１２】特許文献１に記載のプロジェクタ・スタンド（投写型表示装置）の斜視図である。
【図１３】特許文献２に記載のプロジェクタ・スタンド（講演装置）の斜視図である。
【符号の説明】
【００６８】
１  プロジェクタ・スタンド
２  台座枠体
３，４  前側支柱
５，６  後側支柱
７  スクリーン支持枠体
８  スクリーン係止部材
９  スクリーン
１０，１１  光軸設定用マーク
１２  パソコン棚支持体
１３  パソコン棚
２０  プロジェクタ
２１  反射鏡
２２  パソコン
３１  プロジェクタ・スタンド
３２  台座枠体
３２ａ  左側辺
３２ｂ  右側辺
３３，３４  前側支柱
３５，３６  後側支柱
３７  スクリーン支持枠体
３８，３８  スクリーン係止部材
３９  スクリーン
４０  パソコン棚支持体
４１  パソコン棚支柱
４２  パソコン棚
４５  光軸設定用マーク
５０  大径パイプ部材
５１  小径パイプ部材
５２，５３，５５，５７，５９，６０，６６，６７  Ｔ字継手
５４  くの字継手
５６  下部パイプ
５８  上部パイプ
６１  渡し棒
６２，６３，６４，６５  パイプ部材
７０  上部ユニット
７５  バッグ
【図１】
2009133879.tif 000003
【図２】
2009133879.tif 000004
【図３】
2009133879.tif 000005
【図４】
2009133879.tif 000006
【図５】
2009133879.tif 000007
【図６】
2009133879.tif 000008
【図７】
2009133879.tif 000009
【図８】
2009133879.tif 000010
【図９】
2009133879.tif 000011
【図１０】
2009133879.tif 000012
【図１１】
2009133879.tif 000013
【図１２】
2009133879.tif 000014
【図１３】
2009133879.tif 000015